(57)【要約】      （修正有）【課題】  重力子は陽子のラブと電子のラブである。陽子のラブと電子のラブに質量がある事を把握する知見を提供する。【解決手段】  光子の軌道の質量を求める式７．６３６×１０−４６÷軌道により、軌道の違いは質量の差であることが証明できる。質量がある事は引力があることによって解る。半径×エネルギー＝０．５５×１０−４１Ｊ。半径×質量＝３．８１８×１０−４６ｇ。である事によって、引力があることが証明できる。陽子のラブとγ線、電子のラブとＸ線の間には空間がある。これは陽子のラブと電子のラブの比重はブラックホールより大きいから、この間には何も存在できない。これらのことにより、陽子のラブと電子のラブには質量があることが証明できる。【選択図】  図１
2006054983.tif 000002
【特許請求の範囲】
【請求項１】
重力子は電子のラブ及び陽子のラブである。
【請求項２】
陽子のラブの質量は１．０４×１０−１４ｇであり、大きさは０．７３３×１０−３１ｍである。電子のラブの質量は５．５５×１０−１８ｇであり、大きさは１．３７５×１０−２８ｍである。
【請求項３】
基本となる光子を６．６２×１０−３４Ｊの光子とし、これを基本光子とする。基本光子の質量はいくらか。陽子のラブのエネルギーは基本光子のエネルギーの何個分か。
１．５×１０−１０Ｊ÷（６．６２×１０−３４Ｊ）＝２．２６５８×１０２３  ２．２６５８×１０２３個分である。
陽子のラブの質量は１．０４×１０−１４ｇであるから、光子１個の質量はいくらか。
１．０４×１０−１４ｇ÷（２．２６５８×１０２３個）＝４．５８９９×１０−３８ｇ  基本光子の質量は約４．６×１０−３８ｇである。
【請求項４】
基本光子の質量と軌道から、光子の軌道の質量を求める式を得る。
基本光子の軌道はいくらか。
１．１×１０−４１Ｊ÷（６．６２×１０−３４Ｊ）＝１．６６×１０−８（ｍ）  １．６６×１０−８ｍです。
光子の軌道の質量はいくらか。
１．６６×１０−８÷軌道×４．６×１０−３８ｇ＝７．６３６×１０−４６ｇ÷軌道
光子の軌道の質量を求める式は、質量＝７．６３６×１０−４６ｇ÷軌道  です。
【請求項５】
光子の軌道の質量をｍとし、Ｅ＝ｍｃ２の値。
陽子のラブの質量は、７．６３６×１０−４６ｇ÷（０．７３３×１０−３１）＝１．０４１７４６２×１０−１４ｇ
Ｅ＝ｍｃ２＝１．０４１７４６２×１０−１４ｇ×９×１０１６＝９３７．５７（ＭｅＶ）
電子のラブの質量は、７．６３６×１０−４６ｇ÷（１．３５７×１０−２８）＝５．５５３４５４５×１０−１８ｇ
Ｅ＝ｍｃ２＝５．５５３４５４５×１０−１８ｇ×９×１０１６＝０．４９９８（ＭｅＶ）
【請求項６】
Ｅ＝ｍｃ２の値とＥ＝１．１×１０−４１Ｊ÷軌道  の値は同じである。
陽子のラブのＥ＝ｍｃ２＝９３７．５７×１．６００２２×１０−１３Ｊ＝１．５×１０−１０Ｊ
Ｅ＝１．１×１０−４１Ｊ÷（０．７３３×１０−３１）＝１．５×１０−１０Ｊ
電子のラブのＥ＝ｍｃ２＝０．５×１．６００２２×１０−１３Ｊ＝８×１０−１４Ｊ
Ｅ＝１．１×１０−４１Ｊ÷（１．３７５×１０−２８）＝８×１０−１４Ｊ
このことによって、本発明者のエネルギーを求める式は正しい事が証明された。
【請求項７】
陽子のラブの比重はＡ比重＝１÷（軌道×１０８）３の式で求めると、２．５×１０６９である。Ｂ陽子のラブの大きさと質量から計算すると、２．６×１０７３である。
電子のラブの比重はＡ、式では、３．８４６×１０５９である。Ｂ、計算では、２．１３４×１０６０である。
このことによって、本発明者の比重を求める式は正しい事が証明された。
この重力子である陽子のラブの比重と電子のラブの比重が原子と原子を結びつけ巨大な物質を作っている。
【請求項８】
比重を求める式を計算により求める。
基本光子である６．６２×１０−３４Ｊの光子の軌道は１．６６×１０−８ｍであり、質量は４．６×１０−３８ｇである。
比重＝｛１÷（軌道×１０２）÷（１．６６×１０−８×１０２）｝３×４．６×１０−３８ｇ＝１．００５６÷（軌道×１０８）３×１０−２である。
比重を求める式は、比重＝１÷（軌道×１０８）３×１０−２である。
【請求項９】
陽子のラブと電子のラブに質量がある事は、光子の軌道とどれくらい離れているかによって解る。質量＝７．６３６×１０−４６÷軌道  であるから、軌道の差は質量の差である。
電子のラブの軌道の大きさとＸ線の軌道の大きさはほぼ等しい。電子のラブの軌道エネルギーは０．７５×１０−２５Ｊ×核子数÷軌道であり、Ｘ線の軌道エネルギーは１．１×１０−４１Ｊ÷軌道である。それで、電子のラブの軌道エネルギーはＸ線の軌道エネルギーの約６．８×１０１５×核子数倍である。質量も約６．８×１０１５×核子数  倍である。
【請求項１０】
陽子のラブの軌道とγ線の軌道の間の空間、電子のラブの軌道とＸ線の軌道の間の空間には何も存在できない。陽子のラブと電子のラブの比重がブラックホールの比重より大きいからである。
ブラックホールの比重は約１０２７であり、陽子のラブの比重はブラックホールの比重の約１０４６倍であり、電子のラブの比重は約１０３３倍である。それで、陽子のラブと電子のラブは強力なブラックホールであると理解できる。それで、陽子のラブとガンマ線の空間、電子のラブとＸ線の空間には何も存在できない。
【請求項１１】
陽子のラブと電子のラブに質量がある事は引力が働いている事によって判る。
特性Ｘ線と電子のラブとの距離をｒ、特性Ｘ線のエネルギーをｍとすると、ｒ×ｍ＝０．５５×１０−４１Ｊである。
特性Ｘ線と電子のラブとの距離をｒ、特性Ｘ線の質量をＭとすると、ｒ×Ｍ＝３．８１８×１０−４６ｇである。
電子のラブは全てのＸ線を同じ引力で引き回転させている。
電子のラブの引力はＸ線のラブの引力の約７．２×１０１６倍である。
陽子のラブは全てのγ線を同じ引力で引き回転させている。
γ線と陽子のラブとの距離をｒ、γ線のエネルギーをｍとすると、ｒ×ｍ＝０．５５×１０−４１Ｊである。
γ線と陽子のラブとの距離をｒ、γ線の質量をＭとすると、ｒ×Ｍ＝３．８１８×１０−４６ｇである。
陽子のラブの引力はγ線の引力の約１．３６×１０１６倍である。
電子のラブ及び陽子のラブには強力な引力がある。よって引力を作っている質量がある。
【請求項１２】
仕事をエネルギー×１回転の距離とする。
全ての電子のラブの仕事は０．７５×１０−２５Ｊ×ｎ×πであり、
全ての陽子のラブの仕事は０．７５×１０−２５Ｊ×ｎ×πである。
電子のラブの仕事と陽子のラブの仕事は等しい。
全てのＸ線の仕事は１．１×１０−４１Ｊ×πであり、
全てのγ線の仕事は１．１×１０−４１Ｊ×πである。
Ｘ線とγ線の仕事は等しい。
電子のラブの仕事及び陽子のラブの仕事は、Ｘ線の仕事及びγ線の仕事の約６．８×１０１５×ｎ倍である。
【請求項１３】
陽子のラブの回路のまわりは、まるでドーナツのようである。これを“陽子のラブのドーナツ”と名づける。陽子のラブは強力なブラックホールであり、その周囲には何も存在できない。“陽子のラブのドーナツ”の空間はまるでブラックホールの周囲のようであり、この空間を“陽子のラブのブラックホールの空間”と名づける。
γ線はこの“陽子のラブのドーナツ”の周囲を回転している。それはまるでドーナツのようである。これを“γ線のドーナツ”と名づける。内側は高エネルギーのγ線が回転している。外側になるにつれて、低エネルギーのγ線となる。
電子のラブの回路の周りは、まるでドーナツのようである。これを“電子のラブのドーナツ”と名づける。電子のラブはブラックホールより大きな比重なので、周囲には何も存在できない。この空間を“電子のラブのブラックホールの空間”と名づける。
特性Ｘ線や連続Ｘ線は“電子のラブのドーナツ”の周囲を回転している。Ｘ線もまるでドーナツのように回転している。これを“Ｘ線のドーナツ”と名づける。
【請求項１４】
Ｋ殻の電子のラブの回路には２個の電子のラブが公転している。
Ｌ殻の電子のラブの回路には８個の電子のラブが公転している。
Ｍ殻の電子のラブの回路には１８個の電子のラブが公転している。
外側の軌道ほどエネルギーは小さいので、電子のラブの軌道エネルギー×電子のラブの数はつりあっている。“電子のラブのドーナツ”の周囲を“Ｘ線のドーナツ”が回転している。特性Ｘ線は内側からγ、β２、β１、α１、α２の順に回転している。
【請求項１５】
Ｋ殻の電子のラブの軌道（＝回路）は、およそ特性Ｘ線のＫ系吸収端の波長の１／４の大きさである。
Ｌ殻の電子のラブの軌道は、およそ特性Ｘ線のＫ系α２の波長の１／２の大きさである。
Ｍ殻の電子のラブの軌道は、およそ特性Ｘ線のＬ系α２の波長の１／２の大きさである。
Ｎ殻の電子のラブの軌道は、およそ特性Ｘ線のＭ系α２の波長の１／２の大きさである。
【請求項１６】
“Ｘ線のドーナツ”の形は、特性Ｘ線の半径を横軸に、Ｘ線の総合エネルギーを縦軸にして、ドーナツの断面を画くと、ドーナツの縦軸は特性Ｘ線の強度比に比例する。
Ｌ殻の電子のラブの周囲を回転する“Ｘ線のドーナツ”の断面の太さは、およそ内側から５：１５：１００：５０である。中央の“電子のラブのドーナツ”に押された形のドーナツである。
Ｍ殻の電子のラブの周囲を回転する“Ｘ線のドーナツ”の断面の太さは、およそ内側から２０：５０：１００：１０である。Ｌ殻のドーナツと比べると、やや内側に寄った形となっている。これは中央の電子のラブの影響が弱まっているからである。
【請求項１７】
今まで求めてきた光子の軌道のエネルギー、引力、比重、屈折率、質量の式から、相互関係を知る。
光子の軌道のエネルギー＝１．１×１０−４１Ｊ÷軌道    引力＝４．０７×１０−６９Ｎ÷軌道比重＝１÷（軌道×１０８）３    屈折率＝１÷軌道×１０−８×Ｐ
質量＝７．６３６×１０−４６ｇ÷軌道  これらの式から。
エネルギー＝引力×２．７×１０２７  引力＝エネルギー×３．７×１０−２８  エネルギー＝質量×１．４４×１０４  質量＝エネルギー×６．９４×１０−５  質量＝引力×１．８７６×１０２３  引力＝質量×５．３３×１０−２４  質量＝比重×７．６３６×１０−２２×軌道２  比重＝質量×１．３１×１０２１÷軌道２  質量＝屈折率×７．６３６×１０−３８÷Ｐ  屈折率＝質量×１．３１×１０３７×Ｐ  引力＝比重×４．０７×１０−４５×軌道２  比重＝引力×２．４５７×１０４４÷軌道２  比重＝屈折率３÷Ｐ３  屈折率３＝比重×Ｐ３  比重＝０．７５×１０９９×エネルギー３  エネルギー３＝比重×１．３３×１０−９９
比重は計算によると比重＝１÷（比重×１０８）３×１０−２である。
もしそうであるならば次のようになる。
比重＝０．７５×１０９７×エネルギー３  エネルギー３＝比重×１．３３×１０−９７  比重＝引力×２．４５７×１０４２÷軌道２  引力＝比重×４．０７×１０−４３×軌道２  比重＝質量×１．３１×１０１９÷軌道２  質量＝比重×７．６３６×１０−２０×軌道２  比重＝屈折率３÷Ｐ３×１０−２  屈折率３＝比重×Ｐ３×１０２
【発明の詳細な説明】
【発明の詳細な説明】
【技術分野】
【０００１】  この発明は重力子とは何であるか。質量とは何か。光子の軌道と質量。原子の軌道と光子の軌道はどのようになっているのか。光子の軌道のエネルギー、引力、比重、屈折率、質量の関係。に付いてである。
【背景技術】
【０００２】  従来、重力子は発見されていない。光子に質量はないと考えられている。しかし、光子にはエネルギーがある。Ｅ＝ｍｃ２の式より、エネルギーの在るものは質量がある。
【発明が解決しようとする課題】
【０００３】１  重力子とは何か。
２  重力子の性質。
３  基本光子（６．６２×１０−３４Ｊの光子）の質量はどれだけか。
４  光子の軌道の質量はどれだけか。
５  光子の軌道の質量とＥ＝ｍｃ２の関係はどうであるか。
６  光子の軌道のエネルギーは、Ｅ＝ｍｃ２の値とＥ＝１．１×１０−４１Ｊ÷軌道で求める値は合うか。
７  陽子のラブの比重及び電子のラブの比重はどれくらいか。式と計算によって求める。
８  光子の比重を求める式は  比重＝１÷（軌道×１０８）３である理由。
９  陽子のラブ及び電子のラブに重さがあることはどうして理解できるか。（軌道が離れている事によって理解できる。）
１０陽子のラブの軌道とγ線の軌道の間の空間、及び電子のラブの軌道とＸ線の軌道の間の空間は何を意味しているのか。
１１陽子のラブ及び電子のラブに重さがあることはどうして理解できるか。（引力があることによって理解できる。）
１２光子の軌道の仕事と原子の軌道の仕事の関係はどのようであるか。
１３実際、電子のラブとＸ線及び陽子のラブとγ線はどのように回転しているか。
１４電子のラブのドーナツとＸ線のドーナツはどのようになっているか。
１５具体的に、電子のラブの軌道はどれくらいか。
１６具体的に、Ｘ線のドーナツはどのようになっているか。
１７今まで求めてきた光子の軌道のエネルギー、引力、比重、屈折率、質量の関係はどのようであるか。
【課題を解決するための手段】
【０００４】  重力子は陽子のラブであり、電子のラブである。これは非常に小さく重い。それで加速器の板を通過してしまい検出できない。ニュートリノのように全てを通過する。
そこで、陽子のラブ及び電子のラブに重い質量があることが、どうして理解できるかを考える。
それは、陽子のラブと電子のラブの質量差が軌道差として現れる事から、軌道差こそ中央に存在するものの質量がどれ位であるかを示すバロメーターである。陽子のラブの周囲にはγ線が回転している。電子のラブの周囲にはＸ線が回転している。その軌道の差こそ中央にある陽子のラブの質量の大きさであり、電子のラブの質量の大きさである。
陽子のラブとγ線の間に空間がある。電子のラブとＸ線の間には空間がある。これは、陽子のラブと電子のラブは強力なブラックホールであると認識する事ができる。ブラックホールの周囲には何も存在できないからである。空間は陽子のラブと電子のラブがブラックホールであることを意味する。
太陽の引力によって、惑星が引かれ、回転させられているように、陽子のラブの引力によって、γ線は引かれ回転させられている。電子のラブの引力によって、Ｘ線は引かれ回転させられている。どの軌道のγ線も同じ仕事をする。どの軌道のＸ線も同じ仕事をする。これは、どの軌道のγ線も等しく、陽子のラブの引力に引かれているからである。陽子のラブの引力は、どの軌道のγ線にも等しく作用するからである。どの軌道のＸ線も等しく、電子のラブの引力に引かれているからである。それはハンマー投げの選手が球を回転させる作用と同じである。ハンマー投げの選手には強い力（質量エネルギー）がある。陽子のラブには大きな引力がある。電子のラブには大きな引力がある。即ち、陽子のラブには大きな引力を作る質量がある。電子のラブには大きな引力を作る質量がある。
陽子のラブと電子のラブの比重を求めることにより、陽子のラブと電子のラブがどれほど大きな比重のものであるかが理解できる。それで、比重を求める式及び計算によって、比重を求める。これによって、本発明者が考えた比重の式が正しいかどうかを知る。
Ｅ＝ｍｃ２により陽子の質量が解っている。これは陽子のラブの質量である。そして、陽子のラブのエネルギー（１．５×１０−１５Ｊ）は、基本光子のエネルギー（６．６２×１０−３４Ｊ）の何倍であるかを知り、基本光子の質量が解る。
基本光子の質量と光子の軌道から光子の質量を求める式を得る。
軌道の質量からＥ＝ｍｃ２の式で、エネルギーを求める。
そのエネルギー（Ｅ＝ｍｃ２）は本発明者が考えたＥ＝１．１×１０−４１Ｊ÷軌道  の式と合っているかを知る。これによって、本発明者が考えたエネルギーの式が正しいかどうかを知る。
実際、陽子のラブとγ線、電子のラブとＸ線はどのように公転し、回転しているかを知る。それはドーナツ型であると理解する。それは一瞬の状態である。
光子の軌道と原子の軌道のエネルギー、引力、比重、質量の大きさの違いを理解する。
本発明者が考えた、光子の軌道のエネルギー、引力、比重、屈折率、質量の関係を理解する。
【発明の実施態様】
【０００５】１  重力子とは何か。
重力子は２種類有る、１つは陽子のラブであり、１つは電子のラブである。
重力子は非常に小さなもので非常に重いものである。それで加速器の板にぶつかっても検出されない。板を通り抜けてしまうからである。陽子を加速し、板にぶっつけた時、観察されるのは陽子のラブの周囲を回転しているγ線である。電子を加速し、板にぶっつけた時、観察されるのは電子のラブの周囲を回転しているＸ線である。
２  重力子の性質。
陽子のラブの質量は１．０４×１０−１４ｇで、大きさは０．７３３×１０−３１ｍである。
電子のラブの質量は５．５５×１０−１８ｇで、大きさは１．３７５×１０−２８ｍである。
３  基本光子（６．６２×１０−３４Ｊの光子）の質量はどれだけか。
基本となる光子を６．６２×１０−３４Ｊの光子とし、これを基本光子とする。
陽子のラブのエネルギー（１．５×１０−１０Ｊ）は基本光子のエネルギーの何個分か。
１．５×１０−１０Ｊ÷（６．６２×１０−３４Ｊ）＝２．２６５８×１０２３（個）２．２６５８×１０２３個分である。
陽子のラブの質量は１．０４×１０−１４ｇであるから、基本光子１個の質量はいくらか。
１．０４×１０−１４ｇ÷（２．２６５８×１０２３個）＝４．５８９９×１０−３８ｇ  約４．６×１０−３８ｇである。
基本光子の質量は４．６×１０−３８ｇである。
４  光子の軌道の質量はどれだけか。
基本光子の質量と軌道から光子の軌道の質量を求める式を得る。
基本光子の軌道はどれだけか。
１．１×１０−４１Ｊ÷（６．６２×１０−３４Ｊ）＝１．６６×１０−８ｍ  １．６６×１０−８ｍです。
光子の軌道の質量はどれだけか。
１．６６×１０−８÷軌道×４．６×１０−３８ｇ＝７．６３６×１０−４６ｇ÷軌道
光子の軌道の質量を求める式は、質量＝７．６３６×１０−４６ｇ÷軌道です。
５  光子の軌道の質量とＥ＝ｍｃ２の値はどのようになっているか。
陽子のラブの質量は、７．６３６×１０−４６ｇ÷（０．７３３×１０−３１）＝１．０４１７４６２×１０−１４ｇ
ｃ２＝９×１０１６であるから、
Ｅ＝ｍｃ２＝１．０４１７４６２×１０−１４ｇ×９×１０１６＝９３７．５７（ＭｅＶ）
電子のラブの質量は、７．６３６×１０−４６ｇ÷（１．３７５×１０−２８）＝５．５５３４５４５×１０−１８ｇ
Ｅ＝ｍｃ２＝５．５５３４５４５×１０−１８ｇ×９×１０１６＝０．４９９８（ＭｅＶ）
基本光子の質量は、７．６３６×１０−４６ｇ÷（１．６６×１０−８）＝４．６×１０−３８ｇ
Ｅ＝ｍｃ２＝４．６×１０−３８ｇ×９×１０１６−４．１４×１０−２１（ＭｅＶ）
１０−１５ｍの軌道の光子の質量は、７．６３６×１０−４６ｇ÷１０−１５＝７．６３６×１０−３１ｇ
Ｅ＝ｍｃ２＝７．６３６×１０−３１ｇ×９×１０１６＝６．８７２４×１０−１４（ＭｅＶ）
光子の軌道の質量とＥ＝ｍｃ２の値はあっている。
６  光子の軌道のエネルギーは、Ｅ＝ｍｃ２の値と本発明者の式、Ｅ＝１．１×１０−４１Ｊ÷軌道で求める値は合うか。
陽子のラブのＥ＝ｍｃ２＝９３７．５７ＭｅＶ、１ＭｅＶ＝１．６００２２×１０−１３Ｊであるから、
９３７．５７×１．６００２２×１０−１３Ｊ＝１．５×１０−１０Ｊ
Ｅ＝１．１×１０−４１Ｊ÷（０．７３３×１０−３１ｍ）＝１．５×１０−１０Ｊ
電子のラブのＥ＝ｍｃ２＝０．４９９８ＭｅＶ
０．４９９８×１．６００２２×１０−１３Ｊ＝８×１０−１４Ｊ
Ｅ＝１．１×１０−４１Ｊ÷（１．３７５×１０−２８ｍ）＝８×１０−１４Ｊ
基本光子のＥ＝ｍｃ２＝４．１４×１０−２１ＭｅＶ
４．１４×１０−２１×１．６００２２×１０−１３Ｊ＝６．６２４９×１０−３４Ｊ
Ｅ＝１．１×１０−４１Ｊ÷（１．６６×１０−８ｍ）＝６．６２６５×１０−３４Ｊ
１０−１５ｍの軌道の光子のＥ＝ｍｃ２＝６．８７２４×１０−１４ＭｅＶ
６．８７２４×１０−１４×１．６００２２×１０−１３Ｊ＝１．０９９７×１０−２６Ｊ
Ｅ＝１．１×１０−４１Ｊ÷１０−１５ｍ＝１．１×１０−２６Ｊ
光子の軌道から光子の質量を求め、その質量にｃ２をかけると光子のエネルギーが出る。このエネルギーの値は、本発明者の考えた光子の軌道から光子のエネルギーを求める式で出る値と同じである。
故に、本発明者が求めた軌道からエネルギーを求める式は正しい。
７  陽子のラブの比重及び電子のラブの比重はどれくらいであるか。
Ａ陽子のラブの比重を本発明者の式、比重＝１÷（軌道×１０８）３の式により求める。
１÷（０．７３３×１０−３１×１０８）３＝２．５×１０６９  陽子のラブの比重は２．５×１０６９である。
Ｂ陽子のラブの比重を計算によって求める。
陽子のラブの質量は１．０４×１０−１４ｇであり、大きさは０．７３３×１０−３１ｍ＝０．７３３×１０−２９ｍである。
陽子のラブは１ｃｍに何個入るか。１÷（０．７３３×１０−２９）＝１．３６×１０２９  １．３９×１０２９個入る。
１ｃｍ３に何個入るか。（１．３６×１０２９）３＝２．５１５×１０８７  ２．５１５×１０８７個入る。
この質量はいくらか。１．０４×１０−１４ｇ×２．５１５×１０８７個＝２．６１５６×１０７３ｇ
１ｃｍ３は２．６×１０７３ｇである。陽子のラブの比重は２．６×１０７３である。
ＡとＢの誤差は（７３−６９＝４）４桁ちがう。
Ａ電子のラブの比重を式により求める。
１÷（１．３７５×１０−２８×１０８）３＝３．８４６×１０５９    電子のラブの比重は３．８４６×１０５９である。
Ｂ電子のラブの比重を計算によって求める。
電子のラブの質量は５．５５×１０−１８ｇであり、大きさは１．３７５×１０−２８ｍ＝１．３７５×１０−２６ｃｍである。
電子のラブは１ｃｍに何個入るか。１÷（１．３７５×１０−２６）＝７．２７２×１０２５    ７．２７２×１０２５個入る。
１ｃｍ３に何個入るか。（７．２７２×１０２５）３＝３８４．５６×１０７５  ３８４．５６×１０７５個入る。
この質量はいくらか。５．５５×１０−１８ｇ×３８４．５６×１０７５個＝２．１３４×１０６０ｇ
１ｃｍ３は２．１３４×１０６０ｇである。電子のラブの比重は２．１３４×１０６０である。
ＡとＢの誤差は（６０−５９＝１）１桁である。
この事は、比重を求める式は正しい証明である。
８  比重を求める式は比重＝１÷（軌道×１０８）３である理由。
１．６６×１０−８ｍの軌道の光子の質量は４．６×１０−３８ｇである。
それで、軌道に１．６６×１０−８ｍの軌道がいくつ入るか。軌道÷（１．６６×１０−８）個入る。
１ｃｍにいくつ入るか。１÷（軌道×１０２）÷（１．６６×１０−８×１０２）個入る。
１ｃｍ３にいくつ入るか。｛１÷（軌道×１０２）÷（１．６６×１０−６）｝３個入る。
その質量はいくらか。
｛１÷（軌道×１０２）÷（１．６６×１０−６）｝３×４．６×１０−３８ｇ＝１．００５６÷（軌道×１０８）３×１０−２
比重を求める式は１．００５６÷（軌道×１０８）３×１０−２である。
これで、本発明者が２００３年２月２８日に提出した、光子の軌道の比重を求める式は正しい事が証明できた。但し１０−２の差がある。
９  陽子のラブ及び電子のラブに重さがあることはどうして理解できるか。
軌道により質量が異なる。それで、軌道が離れている事によって質量が離れている事がわかる。
軌道の質量は、質量＝７．６３６×１０−４６ｇ÷軌道  であるから、軌道の桁数の差は質量の桁数の差である。軌道の差が大きいと質量の差も大きい。
陽子のラブとγ線の軌道の差は質量の差である。
それで、陽子の軌道とγ線の軌道の差を求める。
陽子のラブの軌道は原子の軌道であり、γ線の軌道は光子の軌道である。
陽子のラブの軌道をα×１０βｍとすると、γ線の軌道もややそれと同じ大きさであり、α×１０βｍである。
軌道の大きさは同じであるが、
原子の軌道エネルギーは０．７５×１０−２５Ｊ×ｎ÷軌道  であり、（ｎは核子数です。）
光子の軌道エネルギーは１．１×１０−４１Ｊ÷軌道  である。
それで、陽子のラブの軌道エネルギーは０．７５×１０−２５Ｊ×ｎ÷（α×１０β）であり、
γ線の軌道エネルギーは１．１×１０−４１Ｊ÷（α×１０β）である。
それで、軌道エネルギーの差は、
０．７５×１０−２５Ｊ×ｎ÷（α×１０β）÷｛１．１×１０−４１Ｊ÷（α×１０β）｝＝６．８１８×１０１５×ｎ（倍）約６．８×１０１５×ｎ倍である。
陽子のラブの質量はγ線の質量の６．８×１０１５×ｎ倍である。
電子のラブとＸ線の場合も同様である。
電子のラブとＸ線の軌道の大きさはやや等しい。その軌道の大きさをａ×１０ｂｍとする。
電子のラブの軌道エネルギーは、０．７５×１０−２５Ｊ×ｎ÷（ａ×１０ｂ）であり、
Ｘ線の軌道エネルギーは、１．１×１０−４１Ｊ÷（ａ×１０ｂ）であり、この差は約６．８×１０１５×ｎ倍である。
電子のラブの質量はＸ線の質量の約６．８×１０１５×ｎ倍である。
１０  陽子のラブの軌道とγ線の軌道の間の空間、及び電子のラブの軌道とＸ線の軌道の間の空間は何を意味しているのか。
陽子のラブの軌道とγ線の軌道、及び電子のラブの軌道とＸ線の軌道の間には約６．８×１０１５×ｎ倍の軌道の隔がある。この空間は必要十分な条件によってできている。それはブラックホールの周囲には何物をも存在させない条件があるからである。陽子のラブ及び電子のラブはブラックホール以上の比重である。
それでは、陽子のラブ及び電子のラブの比重はブラックホールの比重の何倍か。
地球をブラックホールまで縮めると、地球の大きさは半径８．９ミリになるといいます。地球の質量は５．９７４×１０２４Ｋｇです。
それで、ブラックホールの比重は
５．９７４×１０２４×１０３÷（４／３×π×０．８９３）≒２×１０２７  比重は約２×１０２７である。
陽子のラブの比重はブラックホールの比重の何倍か。
２．６×１０７３÷（２×１０２７）＝１．３×１０４６  １．３×１０４６倍である。
電子のラブの比重はブラックホールの比重の何倍か。
２．１３×１０６０÷（２×１０２７）＝１．０６５×１０３３  約１０３３倍である。
このように大きな比重であるので、陽子のラブ及び電子のラブの周囲には何物も存在できない。軌道の隔たりは陽子のラブ及び電子のラブの質量の大きさと、比重の大きさをもの語っている。
１１  陽子のラブ及び電子のラブに重さがある事はどうして理解できるか。
引力がある事によって理解できる。引力がある事は質量がある事である。
電子のラブの引力により周囲のＸ線は引かれ回転している。
電子のラブの周囲を回転している特性Ｘ線の半径をｒ、軌道エネルギーをｍとすると、どの特性Ｘ線もｒ×ｍ＝一定である。
図１のように、電子のラブからの距離をｒとする。これは特性Ｘ線の波長の１／４である。
軌道エネルギーをｍとする。
ｍ１＝１．１×１０−４１Ｊ÷（２×ｒ１）＝０．５５×１０−４１Ｊ÷ｒ１  ｍ１×ｒ１＝０．５５×１０−４１Ｊ  ｍ２＝１．１×１０−４１Ｊ÷（２×ｒ２）＝０．５５×１０−４１Ｊ÷ｒ２  ｍ２×ｒ２＝０．５５×１０−４１Ｊ  ｍ３＝１．１×１０−４１Ｊ÷（２×ｒ３）＝０．５５×１０−４１Ｊ÷ｒ３  ｍ３×ｒ３＝０．５５×１０−４１Ｊ
電子のラブからの距離をｒとし、軌道質量をＭとすると、
Ｍ１＝７．６３６×１０−４６ｇ÷（２×ｒ１）＝３．８１８×１０−４６ｇ÷ｒ１  Ｍ１×ｒ１＝３．８１８×１０−４６ｇ  Ｍ２＝７．６３６×１０−４６ｇ÷（２×ｒ２）＝３．８１８×１０−４６ｇ÷ｒ２  Ｍ２×ｒ２＝３．８１８×１０−４６ｇ
全ての特性Ｘ線及び連続Ｘ線は、電子のラブの引力により引かれて回転している。
電子のラブの引力によって、それぞれの軌道のＸ線は等しい引力を受けている。
電子のラブの引力はどれくらいか。
４．０７×１０−６９Ｎ÷（１．３７５×１０−２８）＝２．９６×１０−４１Ｎ    ２．９６×１０−４１Ｎである。
Ｘ線の引力は、例えばＸ線の軌道を１０−１１ｍとすると、その引力は、
４．０７×１０−６９Ｎ÷１０−１１＝４．０７×１０−５８Ｎ  ４．０７×１０−５８Ｎである。
電子のラブの引力はＸ線の引力の何倍か。
２．９６×１０−４１Ｎ÷（４．０７×１０−５８Ｎ）≒７．２×１０１６    約７．２×１０１６倍である。
電子のラブは約７．２×１０１６倍の引力で、全てのＸ線を引き付け回転させている。
電子のラブにこれだけ強い引力があるのは質量が大きいからである。
陽子のラブとγ線の場合も同様である。
どのγ線もｒ×ｍ＝一定＝０．５５×１０−４１Ｊである。
どのγ線もｒ×Ｍ＝一定＝３．８１８×１０−４６ｇである。
全てのγ線は陽子のラブの引力に平等に引かれ回転している。
陽子のラブの引力は、
４．０７×１０−６９Ｎ÷（０．７３３×１０−３１）＝５．５５×１０−３８Ｎ  約５．５５×１０−３８Ｎである。
γ線の引力は、例えばγ線の軌道を１０−１５ｍとすると、その引力は、
４．０７×１０−６９Ｎ÷１０−１５＝４．０７×１０−５４Ｎ  ４．０７×１０−５４Ｎである。
陽子のラブの引力はγ線の引力の何倍か。
５．５５×１０−３８Ｎ÷（４．０７×１０−５４Ｎ）≒１．３６×１０１６    約１．３６×１０１６倍である。
陽子のラブはγ線の引力の約１．３６×１０１６倍の引力で全てのγ線を引き付け回転させている。
陽子のラブにはこれだけの引力を作る質量がある。
１２  電子のラブと陽子のラブの仕事とγ線とＸ線の仕事はどのようであるか。
仕事をエネルギー×１回転の距離とする。
電子のラブの仕事＝電子のラブの軌道エネルギー×１公転の距離＝０．７５×１０−２５Ｊ÷軌道×（軌道×π）＝０．７５×１０−２５Ｊ×ｎ×π
陽子のラブの仕事＝陽子のラブの仕事エネルギー×１公転の距離＝０．７５×１０−２５Ｊ÷軌道×（軌道×π）＝０．７５×１０−２５Ｊ×ｎ×π
電子のラブの仕事は全て０．７５×１０−２５Ｊ×ｎ×πである。
陽子のラブの仕事は全て０．７５×１０−２５Ｊ×ｎ×πである。
電子のラブの仕事と陽子のラブの仕事は等しい。
Ｘ線の仕事＝Ｘ線の軌道エネルギー×１回転の距離＝１．１×１０−４１Ｊ÷軌道×（軌道×π）＝１．１×１０−４１Ｊ×π
γ線の仕事＝γ線の軌道エネルギー×１回転の距離＝１．１×１０−４１Ｊ÷軌道×（軌道×π）＝１．１×１０−４１Ｊ×π
Ｘ線の仕事は全て１．１×１０−４１Ｊ×πである。
γ線の仕事は全て１．１×１０−４１Ｊ×πである。
Ｘ線の仕事とγ線の仕事は等しい。
電子のラブの仕事及び陽子のラブの仕事はＸ線の仕事及びγ線の仕事の何倍か。
０．７５×１０−２５Ｊ×ｎ×π÷（１．１×１０−４１Ｊ×π）≒６．８×１０１５×ｎ    約６．８×１０１５×ｎ倍である。
１３  実際、電子のラブとＸ線、陽子のラブとγ線はどのように回転しているか。
陽子のラブの公転回路の周囲はまるでドーナツのようである。図２。ドーナツの中央には陽子のラブの回路がある。そこが一番高エネルギーである。ドーナツを切ると、（図３）そこにバームクーヘンのような軌道が現れる。中央の一点が陽子のラブの回路である。この点が一番高エネルギーである。軌道が大きくなるに従って、エネルギーは小さくなる。この空間には何も存在できない。ブラックホールより大きな比重の陽子のラブが中央に居るからである。そこでこの空間を“陽子のラブのブラックホールの空間”と名づける。
このドーナツを“陽子のラブのドーナツ”と名づける。
この“陽子のラブのドーナツ”の周囲をγ線がドーナツのように回転している。
これを“γ線のドーナツ”と名づける。ドーナツの内側ほど高エネルギーのγ線が回転している。
電子のラブが公転している回路の周囲はまるでドーナツのようである。図４。ドーナツの中は、中央に電子のラブの回路があり、軌道はバームクーヘンのようになっている。電子のラブの比重はブラックホールより大きいのでその空間には何も無い。そこを“電子のラブのブラックホールの空間”と名づける。
このドーナツを“電子のラブのドーナツ”と名づける。
この周りを特性Ｘ線や連続Ｘ線がドーナツのように回転している。
これを“Ｘ線のドーナツ”と名づける。
１４  電子のラブのドーナツとＸ線のドーナツはどのようになっているか。図５。
Ｋ殻の電子のラブの回路には２個の電子のラブが公転している。
Ｌ殻の電子のラブの回路には８個の電子のラブが公転している。
Ｍ殻の電子のラブの回路には１８個の電子のラブが公転している。
外側の軌道ほどエネルギーが小さいので、電子のラブの軌道のエネルギー×電子のラブの個数はつりあっているはずである。
“電子のラブのドーナツ”は“ブラックホールの空間”であり無である。電子のラブの比重は約１０６０であり、ブラックホールの比重は約１０２７であるからです。
“電子のラブのドーナツ”の周囲を“Ｘ線のドーナツ”が回転している。内側が高エネルギーの軌道であり、内側から、特性Ｘ線のγ、β２、β１β３、α１、α２の順に回転している。
１５  具体的に、電子のラブの軌道はどれくらいか。（図５）
Ｋ殻の電子のラブの軌道（＝回路）はおよそ特性Ｘ線のＫ系吸収端の波長の１／４である。
Ｌ殻の電子のラブの軌道はおよそ特性Ｘ線のＫ系α２の１／２である。
Ｍ殻の電子のラブの軌道はおよそ特性Ｘ線のＬ系α２の１／２である。
Ｎ殻の電子のラブの軌道はおよそ特性Ｘ線のＭ系α２の１／２である。
例えば、Ａｕの場合。
Ｋ殻の電子のラブの軌道は、Ｋ系吸収端の波長は０．０１５３×１０−９ｍであるから、
０．０１５３×１０−９ｍ×１／４＝０．００３７５×１０−９ｍ  およそ３．７５×１０−１２ｍである。
Ｌ殻の電子のラブの軌道は、Ｋ系α２の波長は０．０１８５×１０−９ｍであるから、
０．０１８５×１０−９ｍ×１／２＝０．００９２５×１０−９ｍ  およそ９．２５×１０−１２ｍである。
Ｍ殻の電子のラブの軌道は、Ｌ系α２の波長は０．１２８８×１０−９ｍであるから、
０．１２８８×１０−９ｍ×１／２＝０．０６４４×１０−９ｍ  およそ６．４４×１０−１１ｍである。
Ｎ殻の電子のラブの軌道は、Ｍ系α２の波長は０．５８５４×１０−９ｍであるから、
０．５８５４×１０−９ｍ×１／２＝０．２９２７×１０−９ｍ  およそ２．９２７×１０−１０ｍである。
１６  具体的に、Ｘ線のドーナツはどのようになっているか。
“Ｘ線のドーナツ”は内側から軌道の小さい順に並んでいる。γ、β、αの順に並んでいる。
軌道エネルギー＝１．１×１０−４１Ｊ÷軌道＝０．５５×１０−４１Ｊ÷半径である。
軌道の総合エネルギー＝軌道エネルギー×Ｘ線の強度＝１．１×１０−４１Ｊ÷軌道×Ｘ線の強度＝０．５５×１０−４１Ｊ÷半径×Ｘ線の強度
半径の差は強度の差と比較すると極めて小さい。それで、総合エネルギーはＸ線の強度比に比例する。
軌道の半径を横軸、Ｘ線のエネルギーを縦軸にして、ドーナツの断面を描くと、縦軸はＸ線の強度比に比例する。
例えば、Ｓｎの場合。（図６）
Ｋ系β２は０．０４２×１０−９ｍで半径は０．０１０５×１０−９ｍ。
β１β３は０．０４３６×１０−９ｍで半径は０．０１０９×１０−９ｍ。
α１は０．０４９１×１０−９ｍで半径は０．０１２２７５×１０−９ｍ。
α２は０．０４９５×１０−９ｍで半径は０．０１２３７５×１０−９ｍ。
総合エネルギー。
β２は０．５５×１０−４１Ｊ÷（１．５×１０−１１）×５≒２．６２×１０−３０Ｊ
β１β３は０．５５×１０−４１Ｊ÷（１．０９×１０−１１）×１５≒７．５７×１０−３０Ｊ
α１は０．５５×１０−４１Ｊ÷（１．２２７５×１０−１１）×１００≒４４．８×１０−３０Ｊ
α２は０．５５×１０−４１Ｊ÷（１．２３７５×１０−１１）×５０≒２２．２２×１０−３０Ｊ
２．２６：７．５７：４４．８：２２．２は約５：１５：１００：５０である。およそＸ線の強度の比である。
よって、Ｘ線のドーナツの太さの比はおよそＸ線の強度の比である。
外側に太いドーナツである。中央の“電子のラブのドーナツ”に圧された形である。
Ｌ殻の電子のラブの周囲を回転する“Ｘ線のドーナツ”の断面の太さは、およそ内側から５：１５：１００：５０である。中央の“電子のラブのドーナツ”に圧された形である。
Ｍ殻の電子のラブの周囲を回転する“Ｘ線のドーナツ”の断面の太さは、およそ内側から２０：５０：１００：１０である。Ｌ殻の“Ｘ線のドーナツ”と比べると、やや内側に太くなっている。これは“電子のラブのドーナツ”から離れているので、電子のラブの影響が弱まっているからである。
１７  今まで求めてきた光子の軌道のエネルギー、引力、比重、屈折率、質量の関係はどのようであるか。
光子の軌道のエネルギー＝１．１×１０−４１Ｊ÷軌道
引力＝４．０７×１０−６９Ｎ÷軌道
質量＝７．６３６×１０−４６ｇ÷軌道
比重＝１÷（軌道×１０８）３
屈折率＝１÷軌道×１０−８×Ｐ＝１÷（軌道×１０８）×Ｐ
これらの式からエネルギー、引力、質量、比重、屈折率の式ができる。
比重と屈折率の関係。
軌道＝１÷屈折率×１０−８×Ｐ
１÷比重＝（軌道×１０８）３＝（１÷屈折率×１０−８×Ｐ×１０８）３＝（１÷屈折率×Ｐ）３
比重＝屈折率３÷Ｐ３
屈折率３＝比重×Ｐ３
光子の軌道のエネルギーと引力の関係。
エネルギー÷引力＝１．１×１０−４１÷軌道÷（４．０７×１０−６９÷軌道）＝０．２７×１０２８
エネルギー＝引力×２．７×１０２７
引力＝エネルギー÷０．２７×１０−２８＝エネルギー×３．７×１０−２８
光子の軌道の質量とエネルギーの関係。
エネルギー÷質量＝１．１×１０−４１÷軌道÷（７．６３６×１０−４６÷軌道）＝１．４４×１０４
エネルギー＝質量×１．４４×１０４
質量＝エネルギー÷１．４４×１０−４＝エネルギー×６．９４×１０−５
光子の軌道の質量と引力の関係。
質量÷引力＝７．６３６×１０−４６÷軌道÷（４．０７×１０−６９÷軌道）＝１．８７６×１０２３
質量＝引力×１．８７６×１０２３
引力＝質量÷１．８７６×１０２３＝質量×５．３３×１０−２４
光子の軌道の質量と比重の関係。
質量÷比重＝７．６３６×１０−４６÷軌道÷｛１÷（軌道×１０８）３｝＝７．６３６×１０−２２×軌道２
質量＝比重×７．６３６×１０−２２×軌道２
比重＝質量÷７．６３６×１０２２÷軌道２＝質量×１．３１×１０２１÷軌道２
光子の軌道の質量と屈折率の関係。
質量÷屈折率＝７．６３６×１０−４６÷軌道÷（１÷軌道×１０−８×Ｐ）＝７．６３６×１０−３８÷Ｐ
質量＝屈折率×７．６３６×１０−３８÷Ｐ
屈折率＝質量÷７．６３６×１０３８×Ｐ＝質量×１．３１×１０３７×Ｐ
光子の軌道の引力と比重の関係。
引力÷比重＝４．０７×１０÷軌道÷｛１÷（軌道×１０８）３＝４．０７×１０−４５×軌道２
引力＝比重×４．０７×１０−４５×軌道２
比重＝引力÷４．０７×１０４５÷軌道２＝引力×２．４５７×１０４４÷軌道２
光子の軌道のエネルギーと比重の関係
軌道＝１．１×１０−４１÷エネルギー
比重＝１÷（１．１×１０−４１÷エネルギー×１０８）３＝０．７５×１０９９×エネルギー３
エネルギー３＝比重×１．３３３×１０−９９
比重は計算によると、比重＝１÷（比重×１０８）３×１０−２である。
もしそうであるならば、
比重＝０．７５×１０９７×エネルギー３
エネルギー３＝比重×１．３３３×１０−９７
比重＝引力×２．４５７×１０４２÷軌道２
引力＝比重×４．０７×１０−４３×軌道２
比重＝質量×１．３１×１０１９÷軌道２
質量＝比重×７．６３６×１０−２０×軌道２
比重＝屈折率３÷Ｐ３×１０−２
屈折率３＝比重×Ｐ３×１０２  である。
光子の軌道の質量が解ったので、エネルギー、引力、比重の相互関係が解るようになった。
【発明の効果】
【０００６】  本発明によって、重力子が陽子のラブであり、電子のラブであることが理解できた。光子の軌道の質量を求める式ができた。光子の軌道から質量を求める式により、軌道の質量を計算し、Ｅ＝ｍｃ２の式によりエネルギーを算出した。そのエネルギーの値は、本発明者の考えたＥ＝１．１×１０−４１Ｊ÷軌道  の式で求めたエネルギーの値と一致する。それで、本発明者のエネルギーを求める式は正しい事が証明できた。軌道から質量を求める式により、質量を計算し、質量と軌道の大きさから比重を求めた。その比重の値は、本発明者が考えた  比重＝１÷（軌道×１０８）３の式から求めた比重の値とやや一致する。それで、本発明者の比重を求める式は正しい事が証明できた。この事により、光子の軌道のエネルギー、引力、比重、質量、屈折率の相互関係も理解できた。重力子である陽子のラブと電子のラブの比重がこれだけ大きいので引力ができ原子と原子は結びつき巨大物質ができる。陽子のラブの軌道の周囲がドーナツ型であると理解する事によって、陽子のラブとγ線がどのような構造になっているか良く理解できる。電子のラブの軌道の周囲がドーナツ型になっていると理解することによって、電子のラブとＸ線の構造が良く理解できるようになった。更に、特性Ｘ線からＫ殻、Ｌ殻、Ｍ殻、Ｎ殻の電子のラブの軌道とＸ線のドーナツ形が判るようになった。
【図面の簡単な説明】
【図１】  電子のラブを中心に回転している特性Ｘ線の半径をｒ、軌道エネルギーをｍ、軌道質量をＭとすると、どの特性Ｘ線も、ｒ×ｍ＝０．５５×１０−４１Ｊ  ｒ×Ｍ＝３．８１８×１０−４６ｇである。電子のラブにより、どの特性Ｘ線も同じ引力で引かれ回転させられている事を示す図。
【図２】  一瞬を捉えると、陽子のラブの回路の周囲はドーナツのようである。陽子のラブはまるでブラックホールのようであり、周囲には、なにも存在できない。  その周りをγ線がドーナツの形をして回転している。
【図３】  陽子のラブの断面図であり、中央に電子のラブの回路がある。ここが１番高エネルギーであり、ブラックホールのようである。その周囲の軌道には何も存在できない。ここを“ブラックホールの空間”と名づける。“陽子のラブのドーナツ”の周囲をγ線がまるでドーナツのように回転している。
【図４】  電子のラブの回路の周囲はドーナツのようである。電子のラブは強力なブラックホールのようであり、周囲には何も存在できない。その周囲をＸ線がドーナツ型に回転している。
【図５】  電子のラブの殻の大きさと連続Ｘ線の大きさを示す。
【図６】  “Ｘ線のドーナツ”の太さは特性Ｘ線の強度比である。
【図７】  光子の軌道と、原子の軌道のエネルギー、質量、引力の関係図。
【符号の説明】
１  電子のラブ      ２  特性Ｘ線      ３  陽子のラブの回路
４  陽子のラブのドーナツ      ５  陽子のラブのブラックホールの空間
６  γ線のドーナツ      ７  高エネルギーのγ線
８  低エネルギーのγ線      ９  電子のラブの回路
１０  電子のラブのドーナツ      １１  電子のラブのブラックホールの空間
１２  Ｘ線のドーナツ      １３  高エネルギーのＸ線
１４  低エネルギーのＸ線
１５  Ｋ殻の電子のラブのドーナツ
１６  Ｋ殻の電子のラブの回路−大きさはおよそＫ系吸収端の波長の１／４で、２個の電子のラブが公転する。
１７  Ｌ殻の電子のラブのドーナツ
１８  Ｌ殻の電子のラブの回路−大きさはおよそＫ系α２の波長の１／２で、８個の電子のラブが公転する。
１９  Ｍ殻の電子のラブのドーナツ
２０  Ｍ殻の電子のラブの回路−大きさはおよそＬ系α２の波長の１／２で、１８個の電子のラブが公転する。
２１  Ｎ殻の電子のラブのドーナツ
２２  Ｎ殻の電子のラブの回路−大きさはおよそＭ系α２の波長の１／２で、３２個の電子のラブが公転する。
２３  Ｋ系特性Ｘ線のドーナツー軌道の大きさは波長の１／２で、内側からβ２、β１β３、α１、α２の順である。太さは内側から５：１５：１００：５０である。
２４  Ｌ系特性Ｘのドーナツー軌道の大きさは波長の１／２で、内側からγ１、β２、β１、α１、α２の順である。太さは内側から１０：２０：５０：１００：１０である。
２５  Ｍ系特性Ｘ線のドーナツー軌道の大きさは波長の１／２で、内側からγ、β、α１、α２の順である。太さは強度比に比例する。
２６  ＳｎのＫ系特性Ｘ線のドーナツの断面図
２７  γ線の軌道      ２８  Ｘ線の軌道
【図１】
2006054983.tif 000003
【図２】
2006054983.tif 000004
【図３】
2006054983.tif 000005
【図４】
2006054983.tif 000006
【図５】
2006054983.tif 000007
【図６】
2006054983.tif 000008
【図７】
2006054983.tif 000009